(57)【要約】【課題】手洗いを適切に支援する。【解決手段】実施形態における手洗い支援装置は、ユーザによる手の動作を検出する検出手段と、前記検出手段により前記ユーザの手の動作を一定時間にわたり検出したときに、前記ユーザによる手洗いの開始を判定する判定手段と、前記判定手段により手洗いの開始が判定されたときに、前記ユーザによる手洗いの開始から終了までに必要な時間と前記一定時間との差分を前記ユーザに通知する通知手段とを有する。【選択図】図３
2020000651.tif 000002
【特許請求の範囲】
【請求項１】
ユーザによる手の動作を検出する検出手段と、
前記検出手段により前記ユーザの手の動作を一定時間にわたり検出したときに、前記ユーザによる手洗いの開始を判定する判定手段と、
前記判定手段により手洗いの開始が判定されたときに、前記ユーザによる手洗いの開始から終了までに必要な時間と前記一定時間との差分を前記ユーザに通知する通知手段と、
を備えた手洗い支援装置。
【請求項２】
前記検出手段は、
前記ユーザの手の動作を表す複数の方向の加速度を検出し、
前記判定手段は、
前記検出手段により検出された前記複数の方向の加速度が、前記ユーザが前記一定時間にわたり手のひらをこすり合わせる動作に対応する条件を満たすときに、前記ユーザによる手洗いの開始を判定する、
請求項１に記載の手洗い支援装置。
【請求項３】
前記検出手段は、
前記ユーザの手の動作を表す複数の方向の加速度を所定のサンプリング周期で検出し、
前記判定手段は、
前記検出手段により所定のサンプリング周期で所定回数にわたり検出された前記複数の方向の加速度が、前記ユーザが前記一定時間にわたり手のひらをこすり合わせる動作に対応する条件を満たすときに、前記ユーザによる手洗いの開始を判定する、
請求項１に記載の手洗い支援装置。
【請求項４】
表示装置をさらに備え、
前記通知手段は、
前記ユーザによる手洗いの開始から終了までに必要な時間と前記一定時間との差分に対応する時間にわたり、前記ユーザに手洗いを行わせるための情報を前記表示装置に表示させる、
請求項１に記載の手洗い支援装置。
【請求項５】
前記判定手段は、
前記検出手段により前記ユーザの手の動作を前記一定時間にわたり検出したときに、前記ユーザによる、手のひらの手洗いの開始を判定し、
前記通知手段は、
前記判定手段により手洗いの開始が判定されたときに、前記ユーザに対し、前記ユーザによる手のひらの手洗いの開始から終了までに必要な時間と前記一定時間との差分を通知し、前記通知の終了後における、前記手のひらと異なる部位の手洗いの開始から終了までに必要な時間を通知する、
請求項１に記載の手洗い支援装置。
【請求項６】
手洗い支援装置が行なう手洗い支援方法であって、
ユーザによる手の動作を検出し、
前記ユーザの手の動作を一定時間にわたり検出したときに、前記ユーザによる手洗いの開始を判定し、
前記手洗いの開始を判定したときに、前記ユーザによる手洗いの開始から終了までに必要な時間と前記一定時間との差分を前記ユーザに通知する、
手洗い支援方法。
【請求項７】
請求項１乃至５のいずれか１項に記載の手洗い支援装置の前記各手段としてプロセッサを機能させる手洗い支援処理プログラム。
【発明の詳細な説明】
【技術分野】
【０００１】
本発明の実施形態は、手洗い支援装置、方法およびプログラムに関する。
【背景技術】
【０００２】
手洗いは、衛生上で大変重要な行為である。人がこの手洗いを行なうことにより、手に付着した細菌やウイルスを洗い落とし、病気にかかる確率を低減できる。
多くの人々は外出後等に手洗いを行なう習慣はあるものの、十分長い時間にわたる手洗いができていない可能性がある。
【０００３】
例えば、ある説によれば、手洗いは３０秒以上にわたって行なうことで、手から多くの細菌を洗い落とすことができるとされているが、多くの人々は、上記の３０秒以上の時間にわたる手洗いを行なっていない可能性がある。また、手のひらだけでなく、指と指の間や手首などもよく洗うべきとする説もあるが、人々は、このように色々な箇所を洗えていない可能性がある。
【０００４】
正しい手洗いの方法に関するマニュアル等が医療機関等から配布されていることもあるが、人々はこれらを十分に読まないか、又は読んだとしても、いざ手を洗うときには正しい手洗いの方法を意識し忘れてしまう可能性がある。
【０００５】
また、スマートウォッチ等のウェアラブルデバイスに関する技術が発展しており、例えばウェアラブルデバイスを用いて、このデバイスを身に着けている人の食事習慣をセンシングするシステムなどが検討されている（例えば非特許文献１を参照）。
【先行技術文献】
【非特許文献】
【０００６】
【非特許文献１】Shuzo, M., et al., “Wearable Eating Habit Sensing System Using Internal Body Sound”, Journal of Advanced Mechanical Design, systems, and Manufacturing, Vol.4, No.1, 2010, 158-166.
【発明の概要】
【発明が解決しようとする課題】
【０００７】
しかし、手洗いを適切に支援する機能を有するシステム、例えば、人が一定の時間にわたって手洗いを行なうことを意識させるシステムは、現状では見当たらない。  
この発明は上記事情に着目してなされたもので、その目的とするところは、手洗いを適切に支援することができるようにした手洗い支援装置、方法およびプログラムを提供することにある。
【課題を解決するための手段】
【０００８】
上記目的を達成するために、この発明の一実施形態における手洗い支援装置の第１の態様は、手洗い支援装置が、ユーザによる手の動作を検出する検出手段と、前記検出手段により前記ユーザの手の動作を一定時間にわたり検出したときに、前記ユーザによる手洗いの開始を判定する判定手段と、前記判定手段により手洗いの開始が判定されたときに、前記ユーザによる手洗いの開始から終了までに必要な時間と前記一定時間との差分を前記ユーザに通知する通知手段とを備えるようにしたものである。
【０００９】
この発明の手洗い支援装置の第２の態様は、第１の態様において、前記検出手段は、前記ユーザの手の動作を表す複数の方向の加速度を検出し、前記判定手段は、前記検出手段により検出された前記複数の方向の加速度が、前記ユーザが前記一定時間にわたり手のひらをこすり合わせる動作に対応する条件を満たすときに、前記ユーザによる手洗いの開始を判定するようにしたものである。
【００１０】
この発明の手洗い支援装置の第３の態様は、第１の態様において、前記検出手段は、前記ユーザの手の動作を表す複数の方向の加速度を所定のサンプリング周期で検出し、前記判定手段は、前記検出手段により所定のサンプリング周期で所定回数にわたり検出された前記複数の方向の加速度が、前記ユーザが前記一定時間にわたり手のひらをこすり合わせる動作に対応する条件を満たすときに、前記ユーザによる手洗いの開始を判定するようにしたものである。
【００１１】
この発明の手洗い支援装置の第４の態様は、第１の態様において、表示装置をさらに備え、前記通知手段は、前記ユーザによる手洗いの開始から終了までに必要な時間と前記一定時間との差分に対応する時間にわたり、前記ユーザに手洗いを行わせるための情報を前記表示装置に表示させるようにしたものである。
【００１２】
この発明の手洗い支援装置の第５の態様は、第１の態様において、前記判定手段は、前記検出手段により前記ユーザの手の動作を前記一定時間にわたり検出したときに、前記ユーザによる、手のひらの手洗いの開始を判定し、前記通知手段は、前記判定手段により手洗いの開始が判定されたときに、前記ユーザに対し、前記ユーザによる手のひらの手洗いの開始から終了までに必要な時間と前記一定時間との差分を通知し、前記通知の終了後における、前記手のひらと異なる部位の手洗いの開始から終了までに必要な時間を通知するようにしたものである。
【００１３】
本発明の一実施形態における、手洗い支援装置が行なう手洗い支援方法の一つの態様は、ユーザによる手の動作を検出し、前記ユーザの手の動作を一定時間にわたり検出したときに、前記ユーザによる手洗いの開始を判定し、前記手洗いの開始を判定したときに、前記ユーザによる手洗いの開始から終了までに必要な時間と前記一定時間との差分を前記ユーザに通知するようにしたものである。
【００１４】
本発明の一実施形態における手洗い支援処理プログラムの一つの態様は、第１乃至第５の態様のいずれか１つにおける手洗い支援装置の前記各手段としてプロセッサを機能させるものである。
【発明の効果】
【００１５】
この発明の一実施形態における手洗い支援装置の第１の態様によれば、ユーザによる手洗いの開始が判定され、この判定後から手洗いの終了までの時間が通知されるので、手洗いにかかる時間を適切に通知することができる。
【００１６】
この発明の一実施形態における手洗い支援装置の第２の態様によれば、ユーザの手にかかる動作を表す複数方向の加速度が、ユーザが一定時間にわたり手のひらをこすり合わせる動作に対応する条件を満たすときにユーザによる手洗いの開始が判定されるので、手洗いの開始を適切に判定することができる。
【００１７】
この発明の一実施形態における手洗い支援装置の第３の態様によれば、ユーザの手の動きを表す複数方向の加速度が所定のサンプリング周期で検出され、その検出回数が所定回数に達したときに、上記手の動きを表す加速度のパターンが手のひらをこすり合わせる動作に対応する条件を満たすか否かが判定されるので、判定の頻度を低減することができる。
【００１８】
この発明の一実施形態における手洗い支援装置の第４の態様によれば、手洗いの開始から終了までに必要な時間と手洗いの開始から判定までの一定時間との差分に対応する時間にわたり、手洗いを継続させるための情報が表示装置に表示されるので、手洗いを行なうべき時間を適切に通知することができる。
【００１９】
この発明の一実施形態における手洗い支援装置の第５の態様によれば、ユーザに対し、ユーザによる手のひらの手洗いの開始から終了までに必要な時間と手洗いの開始から判定までの一定時間との差分が通知され、その通知後に手のひらと異なる部位の手洗いの開始から終了までに必要な時間が通知されるので、手洗いを、より適切に支援することができる。
すなわち、本発明によれば、手洗いを適切に支援することが可能になる。
【図面の簡単な説明】
【００２０】
【図１】本発明の第１の実施形態における手洗い支援装置を適用するスマートウォッチの一例を示す図。
【図２】本発明の第１の実施形態における手洗い支援装置を適用するスマートウォッチの構成例を示すブロック図。
【図３】本発明の第１の実施形態における手洗い支援装置の一例を示す機能ブロック図。
【図４】スマートウォッチの装着の形態の第１の例を示す図。
【図５】三軸加速度センサにより検出したセンサ値の第１の例を示す図。
【図６】スマートウォッチの装着の形態の第２の例を示す図。
【図７】三軸加速度センサにより検出したセンサ値の第２の例を示す図。
【図８】本発明の第１の実施形態における手洗い支援装置の処理動作の一例を示すフローチャート。
【図９】本発明の第２の実施形態における手洗い支援装置の一例を示す機能ブロック図。
【図１０】本発明の第２の実施形態における手洗い支援装置の処理動作の一例を示すフローチャート。
【発明を実施するための形態】
【００２１】
以下、図面を参照しながら、この発明に係わる一実施形態を説明する。
（実施形態の概要）
本発明の一実施形態では、人々（以下、ユーザ）が普段から身に着けられるスマートウォッチ等の腕時計型のデバイスにより、このデバイスを身に着けたユーザによる手洗いの開始を判定し、この判定後、ユーザが十分長い時間にわたって手洗いをするべきことを通知することで、手軽に誰もが正しく手洗いを実施できるよう支援する。さらには、洗うべき手の部位ごとに所定時間にわたって手洗いを続けるべきことを通知する。
【００２２】
（第１の実施形態）
次に、本発明の第１の実施形態について説明する。
図１は、本発明の第１の実施形態における手洗い支援装置を適用するスマートウォッチの一例を示す図である。図２は、本発明の第１の実施形態における手洗い支援装置を適用するスマートウォッチの構成例を示すブロック図である。
本実施形態では、ユーザが身に着けるスマートウォッチ１に搭載されてプログラムを実行することができるコンピュータデバイスを用いたシステムにより手洗い支援装置２０を実現するものとする。
【００２３】
図２に示した例では、スマートウォッチ１は、ＣＰＵ（Central Processing Unit）１０、ＲＡＭ１１、ストレージ１２、バッテリ１３、ディスプレイ１４、および三軸加速度センサ１５を有する。ＣＰＵ１０は、スマートウォッチ１の全体の処理動作を司る。ＲＡＭ１１、ストレージ１２は、ＣＰＵ１０に接続される。このうちストレージ１２は、随時書込および読み出しが可能な不揮発性メモリなどの記憶媒体を有する記憶装置により構成される。バッテリ１３は、スマートウォッチ１内の各部を駆動させるための電力を発生する。ディスプレイ１４は、例えばＬＥＤ（液晶ディスプレイ）もしくは電子ディスプレイにより実現できる。
【００２４】
三軸加速度センサ１５は、図１に示すＸ軸方向（水平）、Ｙ軸方向（水平かつＸ軸方向に直交）、Ｚ軸方向（鉛直）の加速度をそれぞれ検出する。図１に示した各矢印方向が正の各軸方向である。
【００２５】
図３は、本発明の第１の実施形態における手洗い支援装置の一例を示す機能ブロック図である。
図３に示すように、スマートウォッチ１により実現できる手洗い支援装置２０は、センサ値出力部１００、レンジ判定部１０１、カウント値記録部１０１ｂ、手洗い開始判定部１０２、手洗い支援通知部１０３を有する。各部の詳細については後述する。
【００２６】
センサ値出力部１００、レンジ判定部１０１、手洗い開始判定部１０２、手洗い支援通知部１０３の機能は、例えば、ＣＰＵ１０がストレージ１２に格納されているプログラムを読み出して実行することにより実現される。なお、これらの機能の一部または全部は、特定用途向け集積回路（ＡＳＩＣ）などの回路によって実現されてもよい。カウント値記録部１０１ｂは、例えば上記のＲＡＭ１１又はストレージ１２により実現できる。
【００２７】
図４は、スマートウォッチの装着の形態の第１の例を示す図である。図４に示した例では、スマートウォッチ１はユーザが腕を下げている状態で、左腕の手首付近に、かつ、ディスプレイ１４の表示面がユーザの手の甲側に位置するように当該ユーザが身に着けている。スマートウォッチ１を身に着ける位置は、手の動作を表す加速度を三軸加速度センサ１５により正しく検出できる位置であれば、上記の手首付近に限られない。
【００２８】
本実施形態では、三軸加速度センサ１５により検出したＸ軸方向の加速度を示すセンサ値（以下、Ｘ軸方向のセンサ値）とＹ軸方向の加速度を示すセンサ値（以下、Ｙ軸方向のセンサ値）を使用し、Ｚ軸方向の値は特に使用しない。上記の図４では、スマートウォッチ１を身に着けたユーザが腕を下げているときの三軸加速度センサ１５により検出するＸＹ軸方向（Ｘ軸方向およびＹ軸方向）の加速度を示している（Ｚ軸方向は図示を省略）。
【００２９】
三軸加速度センサ１５は、Ｘ軸方向のセンサ値およびＹ軸方向のセンサ値を１０［Ｈｚ］のサンプリング周期でそれぞれ取得できるものとする。ただし、このサンプリング周期毎に手洗い支援装置２０のプログラムを動作させると、スマートウォッチ１のバッテリ１３の電力消費が大きい。
【００３０】
そこで、本実施形態では、サンプリング周期で取得されたセンサ値はＲＡＭ１１または図示しないバッファに一時的に記憶され、サンプリング１０回分につき１回のみ、すなわち１秒ごとに手洗い支援装置２０のプログラムが呼び出されるものとする。これにより、スマートウォッチ１のバッテリ１３の電力消費を低減することができる。このプログラムは、いわゆるイベント駆動型のプログラムで、呼び出されたときのみ動作する。上記のプログラムが呼び出された場合には、センサ値出力部１００は、サンプリング１０回分のＸ軸方向のセンサ値とＹ軸方向のセンサ値をＲＡＭ１１からまとめて受け取って例えばストレージ１２に記憶するものとする。
【００３１】
図５は、三軸加速度センサにより検出したセンサ値の第１の例を示す図である。
図５では、この図４に示したＸＹ方向を含む各方向におけるセンサ値の例を示している。図５に示した例では、重力加速度が１［Ｇ］で、ユーザが腕を下げているときにはＸ軸方向のセンサ値は、おおよそ「１０００」である。以下で述べる各センサ値も重力加速度が１［Ｇ］における値とする。
【００３２】
図６は、スマートウォッチの装着の形態の第２の例を示す図である。図７は、三軸加速度センサにより検出したセンサ値の第２の例を示す図である。
図６は、ユーザが手洗いしているときのスマートウォッチ１の三軸加速度センサ１５により検出するＸＹ軸方向の加速度を示しており（Ｚ軸方向は図示を省略）、図７は、図６に示したＸＹ軸方向を含む各軸方向におけるセンサ値の例を示している。
図７に示すとおり、ユーザが手洗いしているときには、Ｙ軸方向のセンサ値が正の値であると共に、Ｘ軸方向のセンサ値が時間経過と共に特に大きく変動する。このように、スマートウォッチ１がユーザの手首付近に装着された状態では、三軸加速度センサ１５は、ユーザによる手の動きを検出できる。
【００３３】
図８は、本発明の第１の実施形態における手洗い支援装置の処理動作の一例を示すフローチャートである。
三軸加速度センサ１５により検出したＸ軸方向とＹ軸方向におけるサンプリング１０回分のセンサ値が例えばＲＡＭ１１に蓄積されると、センサ値出力部１００は、これらのセンサ値をレンジ判定部１０１に出力する（Ｓ１００）。これにより、レンジ判定部１０１による判定の頻度を低減できるので、スマートウォッチ１のバッテリ１３の電力消費を低減することができる。
【００３４】
レンジ判定部１０１は、センサ値出力部１００から出力されたセンサ値に基づいて、ユーザによる手洗いが開始を判定する。図６に示すように、ユーザがスマートウォッチ１を身に着けている状態で、当該ユーザが手洗いを始めると仮定する。このとき、ユーザは、両手の手のひらをこすり合わせる。
【００３５】
このように、ユーザが両手の手のひらをこすり合わせると、図７に示すように、三軸加速度センサ１５により検出したＹ軸方向のセンサ値は正の値であり、Ｘ軸方向のセンサ値は、正の値と負の値が時間経過と共に交互に入れ替わることが繰り返される。したがって、レンジ判定部１０１は、ユーザによる手洗いの開始を検出するために、以下の処理を行なう。
【００３６】
具体的には、レンジ判定部１０１は、サンプリング１０回分のセンサ値をセンサ値出力部１００から受け取ると、サンプリング１０回分のＹ軸方向の全てのセンサ値が正の値であるか否かを判定し、正の値であれば、サンプリング１０回分のＸ軸方向のセンサ値の最大値と最小値をそれぞれ求め、この最大値と最小値との差を算出し、この差が閾値以上、例えば１０００以上（図５参照）であるかを判定する（Ｓ１０１）。
【００３７】
例えば、サンプリング１０回分のＸ軸方向のセンサ値は以下のような値である。
[354, -175, 261, 958, 514, -407, -231, 997, 593, -64]
この場合、最大値は９９７、最小値は−４０７で、これらの差は１４０４であり、最大値と最小値との差は上記の閾値１０００を超える。
【００３８】
Ｘ軸方向のセンサ値の最大値と最小値との差が閾値以上であると（Ｓ１０１のＹＥＳ）、レンジ判定部１０１は、カウント値記録部１０１ｂに記録されるカウント値を一つインクリメントする（Ｓ１０２）。カウント値の初期値は０である。
【００３９】
次に、手洗い開始判定部１０２は、カウント値記録部１０１ｂに記録されたカウント値を確認し、このカウント値が一定数（例えば３）以上である場合には（Ｓ１０３のＹＥＳ）、複数の方向の加速度のパターンが、ユーザが一定時間にわたり手のひらをこすり合わせる動作に対応する条件を満たす、つまり、一定時間にわたってユーザが手のひらをこすり合わせたとみなし、当該ユーザが手洗いを開始したと判定する。この一定時間は、サンプリング周期が上記の１０［Ｈｚ］であるときは３秒に相当する。
【００４０】
一方、カウント値記録部１０１ｂに記録されたカウント値が一定数に満たない場合には（Ｓ１０３のＮＯ）、Ｓ１００に戻り、次のサンプリング周期で検出されたセンサ値に基づいてＳ１０１の処理がなされる。
【００４１】
ユーザが手洗いを開始したと判定されたとき、スマートウォッチ１を身に着けているユーザが、十分に効果的な手洗いを行なうことを支援するために、ユーザが手洗いを開始したと判定されてから当該ユーザが手洗いをさらに実施するべき時間が当該ユーザに分かるよう、手洗い支援通知部１０３は、スマートウォッチ１のディスプレイ１４による表示を、上記の、手洗いをさらに実施するべき時間にわたってオン（例えば所定の色による点灯または点滅など）にする（Ｓ１０４）。
【００４２】
このとき、手洗い支援通知部１０３は、手を洗うべきでことを示すメッセージをディスプレイ１４に表示させてもよい。また、手洗い支援通知部１０３は、ディスプレイ１４による表示に代えて、スマートウォッチ１における図示しない音声出力装置から音声を出力させることで通知を行なってもよい。
【００４３】
例えば、上記のように、ユーザが十分に効果的な手洗いを行なうために、当該ユーザが３０秒以上にわたって手洗いを行なう、つまり手洗いを実施するべき時間が３０秒以上であることが望ましいとする説に従うなら、上記のようにユーザが３秒間にわたって手のひらをこすり合わせる動作をしたときに手洗い開始判定部１０２が手洗いの開始を判定したときは、手洗い支援通知部１０３は、残りの２７秒間（＝３０秒間−３秒間）にわたってディスプレイ１４の表示をオンにすればよい。また、Ｓ１０４では、手洗い支援通知部１０３は、ユーザが手洗いをさらに実施するべき時間をディスプレイ１４に表示しても良い。
【００４４】
また、上記の手洗いを実施するべき時間である３０秒は一例であり、手を洗う速度などにより、ユーザが十分な効果的な手洗いの実施に要する時間には個人差があるので、例えば、スマートウォッチ１を実際に身に着けるユーザが十分に手洗いをするまでに要する時間をストレージ１２に記憶しておき、手洗い支援通知部１０３は、この時間に基づいてＳ１０４の処理を行なっても良い。
【００４５】
この通知後は、手洗い開始判定部１０２は、カウント値記録部１０１ｂに記録されるカウント値を０にリセットする（Ｓ１０５）。Ｓ１０１で、Ｘ軸方向のセンサ値の最大値と最小値との差が閾値未満である場合（Ｓ１０１のＮＯ）も同様である（Ｓ１０１→Ｓ１０５）。Ｓ１０５の後は、Ｓ１００に戻り、次のサンプリング周期で検出されたセンサ値に基づいてＳ１０１の処理がなされる。
【００４６】
以上説明したように、本発明の第１の実施形態では、ユーザが十分に効果的な手洗いを行なうために当該ユーザが手洗いを行なうべき時間をユーザに手洗いを行わせるための情報として当該ユーザに通知するので、ユーザによる十分に効果的な手洗いを支援することができる。
【００４７】
（第２の実施形態）
次に、本発明の第２の実施形態について説明する。なお、第２の実施形態では、第１の実施形態と同一の番号を付した部分については同様の動作を行なうものとして、重ねての説明を省略する。
第１の実施形態では、ユーザが十分に効果的な手洗いを行なうために当該ユーザが手洗いを行なうべき時間をユーザに通知して手洗いを支援した。これに対し、第２の実施形態では、手の部位ごとに、ユーザがこの箇所の手洗いを行なうべき時間を通知することで、より細かく手洗いを支援する。
【００４８】
図９は、本発明の第２の実施形態における手洗い支援装置の一例を示す機能ブロック図である。
図３に示した第１の実施形態におけるスマートウォッチ１に搭載される手洗い支援装置２０と比較して、図９に示すように、第２の実施形態におけるスマートウォッチ１に搭載される手洗い支援装置２０ａは、第１の実施形態で説明した手洗い支援通知部１０３に替えて、手洗い支援第１通知部１０３ａ、手洗い支援第２通知部１０４、および手洗い支援第３通知部１０５を有する。各部の詳細については後述する。
【００４９】
図１０は、本発明の第２の実施形態における手洗い支援装置の処理動作の一例を示すフローチャートである。
まず、第１の実施形態で説明したＳ１００からＳ１０３までの処理がなされる。そして、手洗い開始判定部１０２が、カウント値に基づいて、ユーザによる手洗いの開始を検出したとき（Ｓ１０３のＹＥＳ）は、ユーザが十分に効果的な手洗いを行なうために当該ユーザが手のひらの手洗いをさらに行なうべき時間の通知に移る。
【００５０】
具体的には、手洗い支援第１通知部１０３ａは、ユーザが手のひらを一定時間だけ洗うことを促すよう、詳しくは、手のひらの十分に効果的な手洗いを行なうことを支援するために、ユーザが手洗いを開始したと判定されてから当該ユーザが手のひらの手洗いをさらに実施するべき時間が当該ユーザに分かるよう、ディスプレイ１４による表示を上記の一定時間だけオンにする（Ｓ１０４１）。このとき、手洗い支援第１通知部１０３ａは、洗うべき部位が手のひらであることを示すメッセージをディスプレイ１４に表示させてもよい。
【００５１】
Ｓ１０４１による表示が終了すると、手洗い支援第２通知部１０４は、ユーザの指と指の間を一定時間だけ洗うことを促すよう、詳しくは、指と指の間の十分に効果的な手洗いを行なうことを支援するために、当該ユーザが指と指の間の手洗いを実施するべき時間が当該ユーザに分かるよう、ディスプレイ１４による表示を上記の一定時間だけオンにする（Ｓ１０４２）。このとき、手洗い支援第２通知部１０４は、洗うべき部位が指と指との間であることを示すメッセージをディスプレイ１４に表示させてもよい。
【００５２】
最後に、Ｓ１０４２による表示が終了すると、手洗い支援第３通知部１０５は、ユーザの手首を一定時間だけ洗うことを促すよう、詳しくは、手首の十分に効果的な手洗いを行なうことを支援するために、当該ユーザが手首の手洗いを実施するべき時間が当該ユーザに分かるよう、ディスプレイ１４による表示を上記の一定時間だけオンにする（Ｓ１０４３）。このとき、手洗い支援第３通知部１０５は、洗うべき部位が手首であることを示すメッセージをディスプレイ１４に表示させてもよい。
また、指と指の間の手洗いと手首の手洗いの順序は逆であってもよいので、Ｓ１０４２とＳ１０４３の順序は逆であってもよい。
【００５３】
次に、上記のＳ１０４１からＳ１０４３までの表示時間の具体例を説明する。
ここでは、手洗いを開始したと判定されるまでにユーザが手のひらをこすり合わせた時間が上記の３秒であり、各部の手洗いの開始から終了までに必要な時間の合計が上記の３０秒であって、各部位の内訳が、手のひらの十分に効果的な手洗いに必要な時間が１０秒で、指と指の間の十分に効果的な手洗いに必要な時間が１０秒で、手首の十分に効果的な手洗いに必要な時間が１０秒であると仮定する。
【００５４】
この場合、手洗い支援第１通知部１０３ａは、手のひらの手洗いにかかる残りの７秒（＝１０秒−３秒）にわたってディスプレイ１４の表示をオンにする。そして、手洗い支援第２通知部１０４は、１０秒にわたってディスプレイ１４の表示をオンにし、手洗い支援第３通知部１０５は、１０秒にわたってディスプレイ１４の表示をオンにする。
【００５５】
以上説明したように、本発明の第２の実施形態では、ユーザが手の各部位について十分に効果的な手洗いを行なうために当該ユーザが各部位の手洗いをさらに行なうべき時間を、ユーザの手の部位ごとに通知するので、ユーザによる十分に効果的な手洗いを、より細かく支援することができる。
【００５６】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【００５７】
また、各実施形態に記載した手法は、計算機（コンピュータ）に実行させることができるプログラム（ソフトウエア手段）として、例えば磁気ディスク（フロッピー（登録商標）ディスク、ハードディスク等）、光ディスク（ＣＤ−ＲＯＭ、ＤＶＤ、ＭＯ等）、半導体メモリ（ＲＯＭ、ＲＡＭ、フラッシュメモリ等）等の記録媒体に格納し、また通信媒体（通信ネットワーク）により伝送して頒布することもできる。なお、媒体側に格納されるプログラムには、計算機に実行させるソフトウエア手段（実行プログラムのみならずテーブル、データ構造も含む）を計算機内に構成させる設定プログラムをも含む。本装置を実現する計算機は、記録媒体に記録されたプログラムを読み込み、また場合により設定プログラムによりソフトウエア手段を構築し、このソフトウエア手段によって動作が制御されることにより上述した処理を実行する。なお、本明細書でいう記録媒体は、頒布用に限らず、計算機内部あるいはネットワークを介して接続される機器に設けられた磁気ディスク、半導体メモリ等の記憶媒体を含むものである。
【符号の説明】
【００５８】
１…スマートウォッチ、１０…ＣＰＵ、１１…ＲＡＭ、１２…ストレージ、１３…バッテリ、１４…ディスプレイ、１５…三軸加速度センサ、２０,２０ａ…手洗い支援装置、１００…センサ値出力部、１０１…レンジ判定部、１０１ｂ…カウント値記録部、１０２…手洗い開始判定部、１０３…手洗い支援通知部、１０３ａ…手洗い支援第１通知部、１０４…手洗い支援第２通知部、１０５…手洗い支援第３通知部。
【図１】
2020000651.tif 000003
【図２】
2020000651.tif 000004
【図３】
2020000651.tif 000005
【図４】
2020000651.tif 000006
【図５】
2020000651.tif 000007
【図６】
2020000651.tif 000008
【図７】
2020000651.tif 000009
【図８】
2020000651.tif 000010
【図９】
2020000651.tif 000011
【図１０】
2020000651.tif 000012